(57)【要約】      （修正有）【課題】蛍光ランプ３２の寿命末期時に点灯、消灯を抑制し、ランプフィラメント部の過熱を軽減する。【解決手段】交互にオンオフする順直列一対のスイッチング素子１１・１２の交点に一端を接続するインダクタンス３１および蛍光ランプ３２と予熱用コンデンサ３３の並列回路を備える。第一スイッチング素子１１を介して前記蛍光ランプ３２へ電流を供給する直流電源４０を備え、第二スイッチング素子１２を介して前記蛍光ランプ３２へ電流を供給する補助コンデンサ５０を備える。直流電源４０よりインピーダンス素子６１・６２・６３を介して蛍光ランプ３２のフィラメントにバイアスされる電流を検出することにより蛍光ランプ３２の有無を判定する第一制御回路７０と、蛍光ランプ３２の両端電圧の上昇を検出して動作する第二制御回路８０を備える。第二制御回路８０が動作した際に第一制御回路７０の動作を無効にする第三制御回路９０を備える。【選択図】    図１
2004158399.tif 000002
【特許請求の範囲】
【請求項１】
交互にオンオフする順直列一対の第一第二のスイッチング素子（１１・１２）を備え、前記各スイッチング素子（１１・１２）と逆並列に接続する第一第二のフライホイールダイオード（２１・２２）を備え、前記両スイッチング素子（１１・１２）の交点に一端を接続するインダクタンス（３１）および蛍光ランプ（３２）と予熱用コンデンサ（３３）の並列回路を備え、前記第一スイッチング素子（１１）を介して前記蛍光ランプ（３２）へ電流を供給する直流電源（４０）を備え、前記第二スイッチング素子（１２）を介して前記蛍光ランプ（３２）へ電流を供給する補助コンデンサ（５０）を備え、前記直流電源（４０）よりインピーダンス素子（６１・６２・６３）を介して前記蛍光ランプ（３２）のフィラメントにバイアスされる電流を検出することにより前記蛍光ランプ（３２）の有無を判定する第一制御回路（７０）を備え、前記蛍光ランプ（３２）の両端電圧の上昇を検出して動作する第二制御回路（８０）を備え、前記第二制御回路（８０）が動作した際に前記第一制御回路（７０）の動作を無効にする第三制御回路（９０）を備えたことを特徴とする蛍光灯点灯装置。
【発明の詳細な説明】
【０００１】
【発明の属する技術分野】
本発明は蛍光ランプ寿命末期におけるインバータ装置の保護機能に関するものである。
【０００２】
【従来の技術】
従来装置は図２に示すように、交互にオンオフする順直列一対の第一第二のスイッチング素子１１・１２を備え、各スイッチング素子１１・１２と逆並列に接続する第一第二のフライホイールダイオード２１・２２を備え、両スイッチング素子１１・１２の交点に一端を接続するインダクタンス３１および蛍光ランプ３２と予熱用コンデンサ３３の並列回路を備え、第一スイッチング素子１１を介して前記蛍光ランプ３２へ電流を供給する直流電源４０を備え、第二スイッチング素子１２を介して蛍光ランプ３２へ電流を供給する補助コンデンサ５０を備え、直流電源４０よりインピーダンス素子６１・６２・６３を介して蛍光ランプ３２のフィラメントにバイアスされる電流を検出することにより蛍光ランプ３２の有無を判定する第一制御回路７０を備えている。第一制御回路７０はインピーダンス素子６３を介して電流が供給されたときにトランジスタ７１がオフし蛍光ランプ３２あり判定、供給されないときにトランジスタ７１がオンし蛍光ランプ３２なしと判定するように動作する。
ランプあり信号が入力されたときはスイッチング素子１１・１２が動作しインダクタンス３１を介して蛍光ランプ３２に高周波電流を供給する。ランプなし信号が入力されたときはスイッチング素子１１・１２の動作は停止し、インダクタンス３１および蛍光ランプ３２への高周波電流の供給を絶つように動作する。まな蛍光ランプ３２寿命末期時等における両端電圧の上昇を検出して動作する第二制御回路８０を備えており、蛍光ランプ３２の両端電圧の上昇が一定時間持続すると回路の過負荷動作を避けるためスイッチング素子１１・１２の動作を停止する。蛍光ランプ３２の寿命末期時には、半波放電の整流効果により補助コンデンサ５０の電圧が低下することがある。この際、第一制御回路７０の供給される電流が絶たれるため、第一制御回路７０はランプなしの判定動作となり、スイッチング素子１１・１２の動作は停止するため、蛍光ランプ３  ２は消灯状態となる。スイッチング素子１１・１２の動作が停止すると、直流電源４０よりインピーダンス素子６１・６２・６３および蛍光ランプ３２のフィラメントを介して第一制御回路７０に電流が供給されるため、第一制御回路７０はランプありの判定動作をし、蛍光ランプ３２は点灯する。蛍光ランプ３２が点灯すると蛍光ランプ３２の整流効果により補助コンデンサ５０の電圧が低下し、第一制御回路７０はランプなしの判定動作となる。このように、従来回路においては蛍光ランプ３２の寿命末期には点灯、消灯を繰り返すため、蛍光ランプ３２のフィラメント部の過熱を引き起こし、照明器具を劣化および破損させる恐れがあり安全性に問題があった。
【０００３】
【発明が解決しようとする課題】
従来の技術は蛍光ランプの寿命末期時には点灯、消灯を繰り返し、蛍光ランプのフィラメント部の過熱を引き起こし、照明器具を劣化および破損させる恐れがあり安全性に問題があつた。
本発明の目的は、蛍光ランプの寿命末期時に点灯、消灯を抑制し、ランプフィラメント部の過熱を軽減することである。
【０００４】
【課題を解決するための手段】
本発明においては、前記直流電源４０よりインピーダンス素子６１・６２・６３を介して前記蛍光ランプ３２のフィラメントにバイアスされる電流を検出することにより前記蛍光ランプ３２の有無を判定する第一制御回路７０を備えた回路において、前記蛍光ランプ３２の両端電圧の上昇を検出する第二制御回路８０の動作により、前記第一制御回路７０の動作を無効にするように第三制御回路９０を接続する。
【０００５】
【発明の実施の形態】
図１を利用して本発明の実施形態について説明する。交互にオンオフする順直列一対の第一第二のスイッチング素子１１・１２を備え、各スイッチング素子１１・１２と逆並列に接続する第一第二のフライホイールダイオード２１・２  ２を備え、両スイッチング素子１１・１２の交点に一端を接続するインダクタンス３１および蛍光ランプ３２と予熱用コンデンサ３３の並列回路を備え、第一スイッチング素子１１を介して前記蛍光ランプ３２へ電流を供給する直流電源４０を備え、第二スイッチング素子１２を介して蛍光ランプ３２へ電流を供給する補助コンデンサ５０を備え、直流電源４０よりインピーダンス素子６１・６２・６３を介して蛍光ランプ３２のフィラメントにバイアスされる電流を検出することにより蛍光ランプ３２の有無を判定する第一制御回路７０を備えている。第一制御回路７０はインピーダンス素子６３を介して電流が供給されたときにトランジスタ７１がオフし蛍光ランプ３２あり判定供給されないときにトランジスタ７１がオンし蛍光ランプ３  ２なしと判定するように動作する。ランプあり信号が入力されたときはスイッチング素子１１・１２が動作しインダクタンス３１を介して蛍光ランプ３  ２に高周波電流を供給する。ランプなし信号が入力されたときはスイッチング素子１１・１２の動作は停止し、インダクタンス３１および蛍光ランプ３２への高周波電流の供給を絶つように動作する。また蛍光ランプ３２寿命末期時等における両端電圧の上昇を検出して動作する第二制御回路８０を備えており、蛍光ランプ３２の両端電圧の上昇が一定時間持続すると回路の過負荷動作を避けるためスイッチング素子１１・１２の動作を停止する。第一制御回路７０・８０はダイオード９１を介して接続されており、蛍光ランプ３２の寿命末期等の蛍光ランプ３２両端電圧上昇時には第一制御回路７０のトランジスタ７１のベース回路にはダイオード９１を介して電流が供給されトランジスタ７１をオフする。したがって、蛍光ランプ３  ２の寿命末期時における蛍光ランプ３２の整流効果により補助コンデンサ５０の電圧が低下しても、第一制御回路７０のトランジスタ７１はオフ状態を維持できるため、蛍光ランプ３２両端電圧の上昇が一定時間持続すると前記第二制御回路８０の動作によりスイッチング素子１１・１２の動作は停止し、ランプは消灯する。
【０００６】
【発明の効果】
本発明によれば、ランプ寿命末期においてランプフィラメント部の異常過熱を抑制することができ、安全性の高いインバータ装置が得られる。
【図面の簡単な説明】
【図１】本発明装置の回路図である。
【図２】従来例装置の回路図である。。
【符号の説明】
１１・１２：スイッチング素子
２１・２２：フライホイールダイオード
３１：インダクタ
３２：蛍光ランプ
３３：予熱用コンデンサ
４０：直流電源
５０：補助コンデンサ
６１・６２・６３：抵抗器
７０：制御回路
７１：トランジスタ
８０：制御回路
９０：制御回路
【図１】
2004158399.tif 000003
【図２】
2004158399.tif 000004